(57)【特許請求の範囲】
【請求項１】
背もたれのリクライニング動作とフットレストの回動機構を連動させる連動機構を設け、該連動機構により、背もたれを倒す動作に連動してフットレストを持ち上げ、背もたれを起こす動作に連動してフットレストを収納するようにしたものにおいて、前記連動機構には、連動状態を保持する保持手段と、背もたれを起こす際、フットレストにフットレストの収納動作を抑制する一定以上の力が加わると前記保持手段を解除して連動状態を遮断する遮断手段を備え、前記保持手段が前記遮断手段を兼用するようにしたフットレスト付き椅子。
【請求項２】
前記フットレストは、操作レバーとの間に介在するリンク機構により、手動にても回動操作できるようにし、前記リンク機構には、フットレストが収納位置から所定角度持ち上げられるとフットレストを持ち上げ方向に付勢し、フットレストが最上位位置まで持ち上げられると収納方向に付勢して持ち上げ状態をセルフロックする付勢手段を備えてなる請求項１記載のフットレスト付き椅子。
【請求項３】
前記連動機構は、フットレストが自然状態で前記付勢手段により持ち上げる方向に回動する前に、前記保持手段により連動状態を保持するようにした請求項２記載のフットレスト付き椅子。
【発明の詳細な説明】
【０００１】
【発明の属する技術分野】
本発明は、フットレストを備えたものの中で、背もたれを起倒させるリクライニング機構を有する椅子に関する。
【０００２】
【従来の技術】
フットレストとリクライニング機構を有する椅子の一般的構造を図１４乃至図１６に基づき説明する。
【０００３】
１は座部の骨組みとなる座部フレーム（以下座部と称する）で、ベースフレーム２上に立設された支柱フレーム３上に支持されている。座部１の後方には背もたれの骨組みとなる背もたれフレーム（以下背もたれと称する）４が軸５を支点として回動自在に軸支され、また、座部１の前端には、フットレストの骨組みとなるフットレストフレーム（以下フットレストと称する）６が軸７により回動自在に軸支されている。これら座部１、背もたれ４、フットレスト６はクッション５０で覆われている。
【０００４】
背もたれ４の下端と座部１の前方下面間は、背もたれ４を起倒させるリクライニング機構８が装備されている。リクライニング機構８は、ケース９とケース９内をモータ１０により移動するロッド１１で構成され、ケース９の一端が背もたれ４の下端に軸１２にて連結され、ロッド１１の一端が座部１に軸１３にて連結され、ロッド１１がケース９内へ収納される方向に動くことにより、背もたれ４が倒れ、ロッド１１が逆方向に移動することにより背もたれ４は起きる。
【０００５】
座部１の下面には支持フレーム１４が固定され、この支持フレーム１４には、操作レバー１５が回動自在に支持され、この操作レバー１５の軸１６にリンクレバー１７の一端が固定され、リンクレバー１７の他端には、リンクレバー１８の一端が軸１９により枢支され、このリンクレバー１８の他端が軸２０によりフットレスト６に枢支されている。両リンクレバー間には、両レバー１７、１８を前記軸１９を支点として引き寄せるスプリング２１が張架されている。
【０００６】
そして、図１４はフットレスト６が収納されている状態で、スプリング２１によりフットレスト６は収納される方向（図で時計方向）に付勢されており、操作レバー１５を反時計方向に回動することによりフットレスト６はスプリング２１に抗して図１５のように持ち上げられてゆき、前記両レバー１７、１８を連結する軸１９が、前記操作レバーの軸１６とリンクレバー１８の他端軸２０とを結ぶ線より上方へくると、フットレスト６は時計方向に回動しようとし、この動きによって、図１６の如くリンクレバー１８の一端部に形成した突片２２がリンクレバー１７の他端部に形成された切り欠き２３に当接して、フットレスト６をこの位置にてセルフロック（自己ロック）する。
【０００７】
この図１４乃至図１６に示すものは、フットレスト６を背もたれ４のリクライニング操作とは独立して回動できるようにしたものであるが、図１７乃至図１９のように、リクライニング動作と連動してフットレスト６を回動できるようにしたものが開発されている。この構造は、図１４乃至図１６の構造に加えて、背もたれ４の下端にリンクレバー２４の一端が軸５１にて枢支され、このリンクレバー２４の他端にリンクレバー２５の一端が軸２６にて連結され、このリンクレバー２５の他端部が前記操作レバー１５の軸１６に枢支され、またリンクレバー１７に押し上げローラ２７が回転自在に軸支されている。
【０００８】
そして、背もたれ４が起きた状態では図１７のようにリンクレバー２５と押し上げローラ２７は離れているが、リクライニング機構８により背もたれ４を倒してゆくと、リンクレバー２５が押し上げローラ２７を押し、その結果リンクレバー１７が回動し、リンクレバー１８を介してフットレスト６を持ち上げてゆく。図１８は、背もたれ４が最も倒れた状態を示す。このものは背もたれ４の動きとは関係なく操作レバー１５の操作でもってもフットレスト６を回動することができ、図１９は、図１６と同様に操作レバー１５でもってフットレスト６を持ち上げた状態でセルフロックしているところを示す。
【０００９】
この図１７乃至図１９に示すものでは、図１４乃至図１６のようにスプリング２１が用いられていない。これは、スプリング２１があると、背もたれ４と連動してフットレスト６を持ち上げた時にセルフロックが掛かってしまうと、背もたれ４を起こしているにもかかわらずフットレスト６は持ち上がったまま取り残されてしまうからである。
【００１０】
しかしスプリング２１がないので、図１９のように操作レバー１５でもってフットレスト６を持ち上げてセルフロックしている状態は、非常に不安定で、僅かな振動等の衝撃でもってフットレスト６のセルフロックが解除され、急激に収納状態に戻ってしまうという問題がある。
【００１１】
このようなことを防止するためには、スプリング２１用いた上に、背もたれ４とフットレスト６の回動機構を完全に結合してしまえばよいが、こうすれば、背もたれ４を起こしてフットレスト６持ち上がった状態から収納状態に戻す際に、フットレストの下に図１８の一点鎖線の如く物Ｍが挟まると、その挟まった物Ｍを壊してしまったり、リクライニング機構やフットレストの回動機構あるいはこれらの結合機構にに過大な力が作用して壊してしまうなどの恐れがある。特に子供がフットレストの下に挟まった場合などは非常に危険である。
【００１２】
【発明が解決しようとする課題】
本発明は、背もたれのリクライニング動作と確実に連動してフットレストを操作できるようにし、且つ信頼性や安全性の高いフットレストを有する椅子を提供することを課題とする。
【００１３】
また、フットレストを持ち上げた状態でのセルフロックを確実に行えるようにするものである。
【００１４】
【課題を解決するための手段】
本発明は、背もたれのリクライニング動作とフットレストの回動機構を連動させる連動機構を設け、この連動機構により、背もたれを倒す動作に連動してフットレストを持ち上げ、背もたれを起こす動作に連動してフットレストを収納するようにしたものにおいて、前記連動機構には、連動状態を保持する保持手段と、背もたれを起こす際、フットレストにフットレストの収納動作を抑制する一定以上の力が加わると前記保持手段を解除して連動状態を遮断する遮断手段を備え、前記保持手段が前記遮断手段を兼用するようにしたものである。
【００１５】
かかる構成により、保持手段により背もたれのリクライニング動作とフットレストの回動動作の連動状態が保持されるので、背もたれのリクライニング動作に確実に連動してフットレストを操作できる。また遮断手段により、背もたれを起こす際、フットレストの下に物等が挟まってフットレストの収納動作を抑制する一定以上の力が加わると連動状態を遮断するので、フットレストの収納動作はその時点で停止し、機械の破損や物の破損を阻止し、信頼性や安全性を向上できる。そして保持手段が遮断手段を兼用するように両者が共通の部材から構成されているので、構造を簡素化できる。
【００１６】
又本発明は、フットレストは、操作レバーとの間に介在するリンク機構により、手動にても回動操作できるようにし、前記リンク機構には、フットレストが収納位置から所定角度持ち上げられるとフットレストを持ち上げる方向に付勢し、フットレストが最上位位置まで持ち上げられると収納方向に付勢して持ち上げ状態をセルフロックする付勢手段を備えたものである。
【００１７】
かかる構成により、付勢手段によってフットレストを持ち上げた状態で確実にセルフロックできる。また付勢手段によって所定角度以上フットレストを持ち上げると小さな力でフットレストを持ち上げることができる。
【００１８】
さらに本発明は、前記連動機構は、フットレストが自然状態で前記付勢手段により持ち上げる方向に回動する前に、前記保持手段により連動状態を保持するようにしたものである。
【００１９】
かかる構成により、確実にフットレストの回動機構であるリンク機構とリクライニング動作を連動させている。
【００２０】
【発明の実施の形態】
本発明の実施例を図１乃至図１０に基づき説明するが、従来と同様のものは、同一符号を付して説明は省略する。
【００２１】
本発明の構成も、図１７乃至図１９の従来例と同様に、フットレスト６の手動による回動機構は、操作レバー１５、リンクレバー１７、１８から構成され、また背もたれ４のリクライニング動作と連動して回動させる構成として、リンクレバー２４、２５とリンクレバー１７に軸支した押し上げローラ２７から構成される点で共通する。本発明ではさらに、前記押し上げローラ２７と同軸に、請求項１でいうところの保持手段と遮断手段を兼用したフックレバー３０が回動自在に枢支され、また前記リンクレバー１７、１８の間に、両リンクレバー１７、１８をその連結軸１９を中心に互いに引き寄せる方向に付勢する付勢手段たるスプリング２１を介在させた点が異なる。
【００２２】
そこで先ず、フットレスト６の手動による回動機構を、リンクレバー２４、２５、押し上げローラ２７、フックレバー３０を省いたて分かりやすくした図８乃至図１０に基づいて説明する。基本的には図１４乃至図１６と同じであるが、リンクレバー１８の形状や、スプリング２１の位置等を変えることにより、小さな力で、フットレストを持ち上げることができるようにしたものである。
【００２３】
即ちリンクレバー１８の形状を図１４の場合と比べ、リンクレバー１７側をＵ字状に曲げ、またスプリング２１の一端をリンクレバー１７に直接係着したのではなく、リンクレバー１７のリンクレバー１８側寄りに突設した突片３１に係着している。
【００２４】
図８はフットレスト６が収納されている状態で、スプリング２１によりフットレスト６は収納される方向（図で時計方向）に付勢されている。操作レバー１５を反時計方向に回動することにより、フットレスト６はスプリング２１に抗して持ち上げられてゆき、図９のように、リンクレバー１７、１８の連結軸１９がスプリング２１の両端を結ぶ線より上側に位置すると、スプリング２１の力はフットレスト６を持ち上げようとする方向（反時計方向）に作用する。従ってこれ以降は、操作レバー１５を回動する力は、小さな力でよい。前述の図１４の場合は、フットレストのほとんど全回動範囲に亘ってスプリング２１の力がフットレストを収納する方向に作用していたので、操作レバー１５の操作が重くなっていたのに対して、フットレスト６を少し持ち上げただけで操作レバー１５の操作が軽くなるようになっている。
【００２５】
さらに操作レバー１５を回動してフットレスト６を持ち上げてゆき、前記両レバー１７、１８を連結する軸１９が、前記操作レバーの軸１６とリンクレバー１８の他端軸２０とを結ぶ線より上方へくると、フットレスト６は時計方向に回動しようとし、この動きによって、図１０の如くリンクレバー１８の一端部がリンクレバー１７の他端部に形成した前記突片３１に当接して、フットレスト６をこの位置にてセルフロックする。突片３１にはクッション材３２を貼り付けておけば、この当接する際の衝撃音を緩和することができる。
【００２６】
以上がフットレストを手動で回動する機構について説明したが、次ぎに背もたれ４と連動して回動させる機構について図１乃至図７に基づき説明する。前述の如く、図８の構成に加えて、リンクレバー２４、２５、押し上げローラ２７それにフックレバー３０が追加されている。
【００２７】
フックレバー３０は図１１のような形状をしており、押し上げローラ２７の軸が通る軸穴３５を有し、リンクレバー２４、２５の連結軸２６と係合したり外れたりするトーションバネ３６が装備されている。トーションバネ３６の一端部はフックレバーの係着部３７に係着され、他端部３８は山型に折れ曲げられてフックレバーの先端部より突出し、フックレバー３０に固定したピン３９により両端部が縮められた状態で中心ピン４０に装着されている。このバネ３６の他端部３８が連結軸２６と係合したり外れたりする。
【００２８】
次ぎに動作について説明する。
【００２９】
図１及び図３は背もたれ４が最も起きている状態を示す。フックレバー３０はその左右の重量バランスで図の位置にあり、トーションバネ３６の山型他端部３８はリンクレバー２４と２５の前記連結軸２６より下方にあってこの軸２６とは係合していない。またリンクレバー２５は押し上げローラ２７から離れている。
【００３０】
この状態でリクライニング用のモータ１０を駆動して背もたれ４を倒し始めると、先ず、図４のようにリンクレバー２５が押し上げローラ２７に当たってリンクレバー１７を反時計方向に回動し始める。そしてその動きがリンクレバー１８を介してフットレスト６に伝わり、フットレスト６を図５のように徐々に持ち上げ始める。図５は、図９と同様に、リンクレバー１７、１８の連結軸１９がスプリング２１の両端を結ぶ線より上側に位置して、スプリング２１の力がフットレスト６を持ち上げようとしている時点を示す。この時点でもまだ、トーションバネ３６の山型他端部３８は前記連結軸２６とは係合していない。
【００３１】
さらにフットレスト６が持ち上げられると、図６のように、フックレバー３０は自重で押し上げローラ２７の軸を中心にして時計方向に回動し、また前記連結軸２６は操作レバー１５の軸１６を中心に反時計方向に回動し、両者の回動軌跡によって、トーションバネ３６の山型他端部３８が連結軸２６にその下方から係合する。この状態は、背もたれ４とフットレスト６の回動機構との連動機構が連動状態に保持された状態を示す。
【００３２】
そしてさらにフットレスト６が持ち上げられて背もたれ４が最も倒れた状態を図７及び図２に示す。トーションバネ３６の山型他端部３８は連結軸２６に係合したままである。図６から図７へと移行する間に、スプリング２１作用によりフットレスト６が背もたれ４の動きとは関係なく、自然状態（人体の足が載っていない状態）で持ち上がる方向に回動しようとするが、この山型他端部３８と連結軸２６との係合によりそれは阻止され、フットレスト６は背もたれ４の動きと確実に連動する。
【００３３】
尚、図５の状態はスプリング２１の力がフットレスト６を持ち上げる方向に作用する時点であるが、フットレスト６は、各駆動部分の摩擦などによって、この時点では持ち上がる方向に回動せず、図６の時点を過ぎてからでないと自然状態で持ち上がる方向に回動することはできない。つまり、フットレストが自然状態で持ち上がる方向に回動する前に山型他端部３８と連結軸２６が係合するように設定され、確実に背もたれの動きと連動するようにしている。
【００３４】
尚図７の状態は、手動でフットレストを持ち上げセルフロックした図１０の状態より持ち上がりが少ない状態に設定されている。そしてスプリング２１によりフットレスト６は持ち上がる方向に付勢された状態のままにされている。しかしセルフロックされる状態まで背もたれと連動して持ち上げることも可能である。
【００３５】
背もたれを起こしてゆくときは、以上の説明とは逆の状態で推移する。つまりフットレスト６は、スプリング２１により持ち上げられる方向に付勢されたままであるので、背もたれの起きる動きに追随せずにその場に残ろうとするが、山型他端部３８と連結軸２６との係合により、背もたれの起き上がる動きに追随して収納方向へ回動する。
【００３６】
そして、スプリング２１によりフットレスト６が自然に収納位置へ回動する頃になると、山型他端部３８と連結軸２６との係合が外れるように設定されている。
【００３７】
ところで、背もたれを起こしてゆくとき、フットレスト６の下に図２の一点鎖線で示すように物Ｍが挟まったり、子供が入り込んだりすると、そのまま背もたれ４の起きる動きに連動してフットレスト６が収納位置へ回動しようとすると、挟めた物を破損したり、子供の場合には大変危険になる。またリクライニング機構等に過大な力が働いてこれらを破損したりする恐れがある。
【００３８】
そこで本発明では、このようにフットレストにフットレストの収納動作を抑制する一定以上の力が加わった場合に、トーションバネ３６の山型他端部３８がそのバネ圧に抗し連結軸２６で押されて図１２のように退避し、ついには図１３の如く連結軸２６との係合が外れるようになっている。つまりリクライニング動作とフットレストの回動機構を連動させる連動機構の連動状態を保持していた山型他端部３８と連結軸２６との係合を解除して、連動状態を遮断するようにしている。
【００３９】
従ってフットレストはスプリング２１の力によって背もたれの起き上がる動きとは関係なく図１０のようなセルフロックされた位置に戻り、上記の危惧は解消される。このことにより信頼性や、安全性を向上させることができる。
【００４０】
【発明の効果】
本発明によれば、背もたれのリクライニング動作とフットレストの回動機構を連動させる連動機構を設け、この連動機構には、連動状態を保持する保持手段と、背もたれを起こす際、フットレストにフットレストの収納動作を抑制する一定以上の力が加わると保持手段を解除して連動状態を遮断する遮断手段を備えたので、保持手段により背もたれのリクライニング動作に確実に連動してフットレストを操作できると共に、遮断手段により、背もたれを起こす際、フットレストの下に物等が挟まって、フットレストの収納動作を抑制する一定以上の力が加わると連動状態を遮断するので、フットレストの収納動作はその時点で停止し、機械の破損や挟まった物の破損（場合によっては子供の怪我）を阻止し、信頼性や安全性を向上できるものである。その上、フックレバーという共通の部材で保持手段と遮断手段を構成しているので、構造を簡素化できる。
【００４１】
又請求項２の発明によれば、フットレストは、フットレストが収納位置から所定角度持ち上げられるとフットレストを持ち上げ方向に付勢し、フットレストが最上位位置まで持ち上げられると収納方向に付勢して持ち上げ状態をセルフロックする付勢手段を備えたので、フットレストを持ち上げた状態で確実にセルフロックでき、また所定角度以上フットレストを持ち上げると小さな力でフットレストを持ち上げることができ、操作性を向上できる。
【００４２】
さらに請求項３の発明によれば、連動機構は、フットレストが自然状態で付勢手段により持ち上げる方向に回動する前に、保持手段により連動状態を保持するので、確実にフットレストの回動動作をリクライニング動作に連動させることができる。
【図面の簡単な説明】
【図１】本発明の椅子のフットレストの収納状態を示す側面図である。
【図２】同椅子の背もたれを最も倒した状態の側面図である。
【図３】同椅子の図１における要部拡大側面図である。
【図４】同椅子の図３とは異なる状態を示す要部拡大側面図である。
【図５】同椅子の図４とは異なる状態を示す要部拡大側面図である。
【図６】同椅子の図５とは異なる状態を示す要部拡大側面図である。
【図７】同椅子の図６とは異なる状態（図２に対応）を示す要部拡大側面図である。
【図８】同椅子のフットレストの回動機構を説明するための要部拡大側面図である。
【図９】同椅子のフットレストの回動機構を説明するための要部拡大側面図である。
【図１０】同椅子のフットレストの回動機構を説明するための要部拡大側面図である。
【図１１】同椅子に使用されるフックレバーの正面図である。
【図１２】同椅子の連動機構が遮断される直前の状態を示す要部拡大側面図である。
【図１３】同椅子の連動機構が遮断された状態を示す要部拡大側面図である。
【図１４】従来の椅子を示す要部側面図である。
【図１５】同椅子の異なる状態を示す要部側面図である。
【図１６】同椅子のさらに異なる状態を示す要部側面図である。
【図１７】従来の背もたれの動作とフットレストの回動機構を連動させた要部側面図である。
【図１８】同異なる状態の要部側面図である。
【図１９】同さらに異なる状態の要部側面図である。
【符号の説明】
４      背もたれ
８      リクライニング機構
６      フットレスト
１５      操作レバー
１７      リンクレバー
１８      リンクレバー
２１      スプリング（付勢手段）
２４      リンクレバー
２５      リンクレバー
２７      押し上げローラ
３０      フックレバー（保持手段、遮断手段）
３６      トーションバネ（保持手段、遮断手段）
２６      連結軸（保持手段、遮断手段）
３１      突片
【図１】
0003773629.tif 000002
【図２】
0003773629.tif 000003
【図３】
0003773629.tif 000004
【図４】
0003773629.tif 000005
【図５】
0003773629.tif 000006
【図６】
0003773629.tif 000007
【図７】
0003773629.tif 000008
【図８】
0003773629.tif 000009
【図９】
0003773629.tif 000010
【図１０】
0003773629.tif 000011
【図１１】
0003773629.tif 000012
【図１２】
0003773629.tif 000013
【図１３】
0003773629.tif 000014
【図１４】
0003773629.tif 000015
【図１５】
0003773629.tif 000016
【図１６】
0003773629.tif 000017
【図１７】
0003773629.tif 000018
【図１８】
0003773629.tif 000019
【図１９】
0003773629.tif 000020